(57)【要約】【課題】ユーザの処理操作の負荷を軽減させることができる、画像処理装置、画像処理システム、画像処理プログラム、及び画像処理方法を提供する。【解決手段】コンソール２０では、まず、共通処理操作を行うため、放射線画像撮影装置１２から取得した放射線画像の原画像を取得する。コンソール２０は、原画像に対してユーザが行った共通処理操作を検出し、共通処理操作の処理内容と原画像とを対応付けて記憶させる。次に、目的Ａ画像を生成するための個別処理（目的Ａ）に移行すると、コンソール２０は、取得した原画像に対して、画像解析処理Ａを施すと共に、共通処理を反映させ、目的Ａ用画像を生成する。さらにコンソール２０は目的Ａ用画像に対してユーザが行った個別処理操作を検出し、個別処理操作に応じた画像処理を施すことにより、目的Ａ画像を生成する。【選択図】図３
2015085190.tif 000002
【特許請求の範囲】
【請求項１】
放射線画像である原画像から、異なる画像処理が施された異なる複数の画像を生成する画像処理装置であって、
前記原画像に対する共通処理操作を受け付けて、受け付けた共通処理操作に応じた共通処理を前記原画像に対して施して共通処理済原画像を生成する共通画像生成部と、
前記共通処理済原画像に第１画像処理を施して第１画像を生成する第１画像生成部と、
前記共通処理済原画像に前記第１画像処理と異なる第２画像処理を施して第２画像を生成する第２画像生成部と、
を備えた画像処理装置。
【請求項２】
放射線画像である原画像に処理条件の異なる画像解析処理を各々施すことにより、第１画像及び第２画像それぞれ生成する生成部と、
前記原画像に対する１以上の共通処理操作を受け付ける受付部と、
前記受付部が受け付けた共通処理操作を、前記処理条件の異なる画像解析処理を前記生成部が施す前の前記原画像に反映させる反映部と、
を備えた画像処理装置。
【請求項３】
前記第１画像に対する第１画像処理、及び前記第２画像に対する第２画像処理のいずれかを受け付けて、受け付けた前記第１画像処理または前記第２画像処理を前記１つの画像に施す画像処理部を備えた、
請求項２に記載の画像処理装置。
【請求項４】
画像処理部が受け付けた前記第１画像処理または前記第２画像処理が、当該第１画像処理または第２画像処理を受け付けた画像処理の対象となる画像と異なる画像にも引き継ぐ引継個別処理操作を含む場合は、前記異なる画像にも引継個別処理操作を引き継がせる引継部を備えた、
請求項１または請求項３に記載の画像処理装置。
【請求項５】
前記共通処理操作を設定する設定部を備え、
前記引継部は、前記引継個別処理操作が前記設定部にされた前記共通処理操作と同じであり、かつ、受け付けなかった共通処理操作である場合は、前記引継個別処理操作を前記異なる画像に引き継がせない、
請求項４に記載の画像処理装置。
【請求項６】
画像処理部が個別処理操作を受け付けた後は、前記共通処理操作の受付を禁止する禁止部を備えた、
請求項１から請求項５のいずれか１項に記載の画像処理装置。
【請求項７】
共通画像生成部は、共通処理済原画像に対する再共通処理操作を受け付けた場合は、前記再共通処理操作を前記第１画像及び前記第２画像に反映させる、
請求項１に記載の画像処理装置。
【請求項８】
前記反映部は、前記受付部が受け付けた共通処理操作を反映させた後に、再び、前記受付部が共通処理操作を再共通処理操作とし受け付けた場合は、さらに、再共通処理操作を反映させる、
請求項２に記載の画像処理装置。
【請求項９】
前記受付部は、前記第１画像及び前記第２画像に反映させる共通処理操作のみを受け付ける、
請求項２に記載の画像処理装置。
【請求項１０】
前記反映部は、前記第１画像及び前記第２画像に前記共通処理操作を反映させる場合は、前記共通処理操作のうちから前記第１画像及び前記第２画像の各々毎に反映させる共通処理操作を選択して前記第１画像及び前記第２画像の各々毎に反映させる、
請求項２に記載の画像処理装置。
【請求項１１】
前記請求項１から前記請求項１０のいずれか１項に記載の画像処理装置と、
前記画像処理装置により画像処理が施された画像を表示する表示部と、
前記画像処理装置に対して処理操作を行う操作部と、
を備えた画像処理システム。
【請求項１２】
前記請求項１から前記請求項１０のいずれか１項に記載の画像処理装置の各部としてコンピュータを機能させるための画像処理プログラム。
【請求項１３】
放射線画像である原画像から、異なる画像処理が施された異なる複数の画像を生成する画像処理装置の画像処理方法であって、
共通画像生成部により、前記原画像に対する共通処理操作を受け付けて、受け付けた共通処理操作に応じた共通処理を前記原画像に対して施して共通処理済原画像を生成し、
第１画像生成部により、前記共通処理済原画像に第１画像処理を施して第１画像を生成し、
第２画像生成部により、前記共通処理済原画像に前記第１画像処理と異なる第２画像処理を施して第２画像を生成する、
画像処理方法。
【請求項１４】
生成部により、放射線画像である原画像に処理条件の異なる画像解析処理を各々施すことにより、第１画像及び第２画像それぞれ生成し、
受付部により、前記原画像に対する１以上の共通処理操作を受け付け、
反映部により、前記受付部が受け付けた共通処理操作を、前記処理条件の異なる画像解析処理を前記生成部が施す前の前記原画像に反映させると、
を備えた画像処理方法。
【発明の詳細な説明】
【技術分野】
【０００１】
本発明は、画像処理装置、画像処理システム、画像処理プログラム、及び画像処理方法に係り、特に放射線画像の画像処理に用いられる画像処理装置、画像処理システム、画像処理プログラム、及び画像処理方法に関する。
【背景技術】
【０００２】
近年、放射線画像撮影装置により撮影された放射線画像を検査、診断、及び診察等に用いることが多くなり、放射線画像を読影する医師や技師等であるユーザの負荷が増加している。またユーザは、放射線画像に対して画像処理を行うのが一般的であるが、同様に画像処理の負荷が増加している。
【０００３】
画像処理の負荷を軽減するための技術として、例えば、特許文献１には、画像処理操作履歴を表示することにより、画像処理のやり直しを簡便に行うことができる画像処理履歴取得技術が記載されている。また例えば、特許文献２には、選択された画像に対して異なる画像処理条件を適用した画像を表示させることにより、読影効率を向上させる技術が記載されている。
【先行技術文献】
【特許文献】
【０００４】
【特許文献１】特開２００５−３０１４９２号公報
【特許文献２】特開２００６−２７１８００号公報
【発明の概要】
【発明が解決しようとする課題】
【０００５】
近年、１つの被写体（例えば被検体の撮影部位）に対して目的が異なる複数の放射線画像を撮影して取得することが行われている。複数の放射線画像に対してそれぞれ画像処理を施す場合、画像処理を施させるために、ユーザが行う処理操作の負荷がさらに増加する。しかしながら、特許文献１及び特許文献２に記載の技術では、目的が異なる複数の放射線画像に対する処理操作の負荷を低減させることは困難であった。
【０００６】
本発明は、上記問題点を解決するために成されたものであり、ユーザの処理操作の負荷を軽減させることができる、画像処理装置、画像処理システム、画像処理プログラム、及び画像処理方法を提供することを目的とする。
【課題を解決するための手段】
【０００７】
上記目的を達成するために、本発明の画像処理装置は、放射線画像である原画像から、異なる画像処理が施された異なる複数の画像を生成する画像処理装置であって、原画像に対する共通処理操作を受け付けて、受け付けた共通処理操作に応じた共通処理を原画像に対して施して共通処理済原画像を生成する共通画像生成部と、共通処理済原画像に第１画像処理を施して第１画像を生成する第１画像生成部と、共通処理済原画像に第１画像処理と異なる第２画像処理を施して第２画像を生成する第２画像生成部と、を備える。
【０００８】
本発明の画像処理装置は、放射線画像である原画像に処理条件の異なる画像解析処理を各々施すことにより、第１画像及び第２画像それぞれ生成する生成部と、原画像に対する１以上の共通処理操作を受け付ける受付部と、受付部が受け付けた共通処理操作を、処理条件の異なる画像解析処理を生成部が施す前の原画像に反映させる反映部と、を備える。
【０００９】
また、本発明の画像処理装置は、第１画像に対する第１画像処理、及び第２画像に対する第２画像処理のいずれかを受け付けて、受け付けた第１画像処理または第２画像処理を１つの画像に施す画像処理部を備えていていもよい。
【００１０】
また、本発明の画像処理装置は、画像処理部が受け付けた第１画像処理または第２画像処理が、第１画像処理または第２画像処理を受け付けた画像処理の対象となる画像と異なる画像にも引き継ぐ引継個別処理操作を含む場合は、異なる画像にも引継個別処理操作を引き継がせる引継部を備えていていもよい。
【００１１】
また、本発明の画像処理装置は、共通処理操作を設定する設定部を備え、引継部は、引継個別処理操作が設定部にされた共通処理操作と同じであり、かつ、受け付けなかった共通処理操作である場合は、引継個別処理操作を異なる画像に引き継がせなくてもよい。
【００１２】
また、本発明の画像処理装置は、画像処理部が個別処理操作を受け付けた後は、共通処理操作の受付を禁止する禁止部を備えていてもよい。
【００１３】
また、本発明の画像処理装置は、共通画像生成部は、共通処理済原画像に対する再共通処理操作を受け付けた場合は、再共通処理操作を第１画像及び第２画像に反映させてもよい。
【００１４】
また、本発明の画像処理装置は、反映部は、受付部が受け付けた共通処理操作を反映させた後に、再び、受付部が共通処理操作を再共通処理操作とし受け付けた場合は、さらに、再共通処理操作を反映させてもよい。
【００１５】
また、本発明の画像処理装置は、受付部は、第１画像及び第２画像に反映させる共通処理操作のみを受け付けてもよい。
【００１６】
また、本発明の画像処理装置は、反映部は、第１画像及び第２画像に共通処理操作を反映させる場合は、共通処理操作のうちから第１画像及び第２画像の各々毎に反映させる共通処理操作を選択して第１画像及び第２画像の各々毎に反映させてもよい。
【００１７】
本発明の画像処理システムは、本発明の画像処理装置と、画像処理装置により画像処理が施された画像を表示する表示部と、画像処理装置に対して処理操作を行う操作部と、を備える。
【００１８】
本発明の画像処理プログラムは、本発明の画像処理装置の各部としてコンピュータを機能させるためのものである。
【００１９】
本発明の画像処理方法は、放射線画像である原画像から、異なる画像処理が施された異なる複数の画像を生成する画像処理装置の画像処理方法であって、共通画像生成部により、原画像に対する共通処理操作を受け付けて、受け付けた共通処理操作に応じた共通処理を原画像に対して施して共通処理済原画像を生成し、第１画像生成部により、共通処理済原画像に第１画像処理を施して第１画像を生成し、第２画像生成部により、共通処理済原画像に第１画像処理と異なる第２画像処理を施して第２画像を生成する。
【００２０】
本発明の画像処理方法は、生成部により、放射線画像である原画像に処理条件の異なる画像解析処理を各々施すことにより、第１画像及び第２画像それぞれ生成し、受付部により、原画像に対する１以上の共通処理操作を受け付け、反映部により、受付部が受け付けた共通処理操作を、処理条件の異なる画像解析処理を生成部が施す前の原画像に反映させる。
【発明の効果】
【００２１】
本発明によれば、ユーザの処理操作の負荷を軽減させることができるという効果が得られる。
【図面の簡単な説明】
【００２２】
【図１】第１の実施の形態に係る放射線画像撮影システムの一例の概略構成を示す概略構成図である。
【図２】第１の実施の形態に係るコンソール及びＰＡＣＳの一例の概略構成図である。
【図３】第１の実施の形態のコンソールの制御部によって実行される画像処理の一例の全体の流れを表したフローチャートである。
【図４】第１の実施の形態における処理の種類をユーザに選択させるための表示の一例を説明するための説明図である。
【図５】第１の実施の形態のコンソールにおける基本形態に係る画像処理（処理操作）の流れの一例を示す説明図である。
【図６】第１の実施の形態における画像処理中に実行される共通処理の一例のフローチャートである。
【図７Ａ】第１の実施の形態における原画像及び共通処理操作をユーザが行うための各種表示の具体例を示す説明図である。
【図７Ｂ】第１の実施の形態における原画像及び共通処理操作をユーザが行うための各種表示の具体例を示す説明図である。
【図８】第１の実施の形態の基本形態に係る画像処理中に実行される個別処理（目的Ａ）の一例のフローチャートである。
【図９】第１の実施の形態の応用形態のコンソールにおける応用形態に係る画像処理（処理操作）の流れの一例を示す説明図である。
【図１０】第１の実施の形態の応用形態に係る画像処理中に実行される個別処理（目的Ａ）の一例のフローチャートである。
【図１１】図８に示した目的Ａ用画像を生成するための処理である個別処理（目的Ａ）のステップＳ３００〜ステップＳ３０８までの別処理のフローチャートの一例である。
【図１２】第１の実施の形態における目的Ａ用画像及び個別処理操作をユーザが行うための各種表示の一例を示す説明図である。
【図１３Ａ】第１の実施の形態における確認用の目的Ａ画像の表示の一例を示す説明図である。
【図１３Ｂ】第１の実施の形態における確認用の目的Ｂ画像の表示の一例を示す説明図である。
【図１４】第１の実施の形態における目的Ａ用画像の生成に当たり反映させた共通処理を示す表示を説明するための説明図である。
【図１５】第２の実施の形態のコンソールにおける画像処理（処理操作）の流れの一例を示す説明図である。
【図１６】第２の実施の形態における画像処理中に実行される共通処理の一例のフローチャートである。
【図１７】第２の実施の形態における原画像及び共通処理操作をユーザが行うための各種表示の具体例を示す説明図である。
【図１８】第３の実施の形態のコンソールにおける画像処理（処理操作）の流れの一例を示す説明図である。
【図１９】第４の実施の形態のコンソールにおける画像処理（処理操作）の流れの一例を示す説明図である。
【図２０】第４の実施の形態の画像処理中に実行される個別処理（目的Ａ）の一例のフローチャートである。
【図２１】第４の実施の形態における目的Ａ用画像及び個別処理操作をユーザが行うための各種表示の具体例を示す説明図である。
【図２２】第５の実施の形態のコンソールの制御部によって実行される画像処理の一例の全体の流れを表したフローチャートである。
【発明を実施するための形態】
【００２３】
以下、各図面を参照して本実施の形態の一例について説明する。
【００２４】
［第１の実施の形態］
まず、本実施の形態の画像処理装置として機能するコンソールにより放射線画像の画像処理を行う放射線画像撮影システムの概略構成について説明する。図１は、本実施の形態の放射線画像撮影システムの一例の概略構成図である。
【００２５】
放射線画像撮影システム１０は、放射線画像撮影装置１２と、放射線照射装置１６と、コンソール２０と、を備えている。コンソール２０と放射線画像撮影装置１２及び放射線照射装置１６とは、有線及び無線の少なくとも一方により接続されている。
【００２６】
放射線照射装置１６は、放射線（例えばエックス線（Ｘ線）等）を被検体１８に照射する機能を有している。放射線画像撮影装置１２は、放射線照射装置１６から照射され、被検体１８を透過した放射線を検出する放射線検出器１４を備えている。本実施の形態の放射線検出器１４は、特に限定されない。例えば、放射線検出器１４は、放射線を変換した光を電荷に変換する間接変換方式の放射線検出器であってもよい。また、例えば、放射線検出器１４は、放射線を直接電荷に変換する直接変換方式の放射線検出器であってもよい。
【００２７】
コンソール２０は、外部のシステム（例えば、ＲＩＳ：Radiology Information System：放射線情報システム）から入力された指示（撮影メニュー）に基づいて、医師や放射線技師等であるユーザの操作により放射線画像の撮影を行う機能を有している。また、本実施の形態のコンソール２０は、放射線画像撮影装置１２から放射線画像を取得し、ＰＡＣＳ（Picture Archiving and Communication System：画像保存通信システム）２２に出力する機能を有している。
【００２８】
放射線画像の撮影を行う際は、コンソール２０の制御に基づいたタイミングによって、放射線照射装置１６から照射され、撮影位置に位置している被検体１８を透過することで画像情報を担持した放射線が放射線画像撮影装置１２の放射線検出器１４に照射される。放射線画像撮影装置１２は、放射線検出器１４により照射された放射線を検出し、検出された放射線に応じた放射線画像を生成して、コンソール２０に出力する。撮影された放射線画像は、コンソール２０から画像処理システムの一例であるＰＡＣＳ２２に出力され、ＰＡＣＳ２２によって管理される。
【００２９】
本実施の形態の画像処理装置は、コンソール２０に備えられており放射線画像の画像処理を行う機能を有している。なお、以下では、「共通処理画像（詳細後述）」等、複数の画像について総称する場合は、照射された放射線に基づいた画像であることから、「放射線画像」と総称する。
【００３０】
図２は、画像処理機能を説明するためのコンソール２０の概略構成図の一例である。なお、画像処理装置はＰＡＣＳ２２に備えられていてもよい。また、本実施の形態において「画像処理」とは、画質の変換、回転、反転、マーカ重畳、及びコメント記入等を含み、画像（放射線画像を含む各種画像）に対して施される処理全般のことをいう。
【００３１】
本実施の形態のコンソール２０は、サーバー・コンピュータである。コンソール２０は、制御部３０、ディスプレイドライバ３２、ディスプレイ３４、操作入力検出部３６、操作パネル３８、Ｉ／Ｏ（Input Output）部４０、Ｉ／Ｆ（Interface）部４２、及びＩ／Ｆ部４４を備えている。
【００３２】
制御部３０は、コンソール２０全体の動作を制御する機能を有しており、ＣＰＵ（Central Processing Unit）、ＲＯＭ（Read Only Memory）、ＲＡＭ（Random Access Memory）、及び記憶部を備えている。ＣＰＵは、コンソール２０全体の動作を制御する機能を有している。ＲＯＭには、ＣＰＵで使用される画像処理プログラムを含む各種プログラム等が予め記憶されている。ＲＡＭは、各種データを一時的に記憶する機能を有している。記憶部は、例えば、ＨＤＤ（Hard Disk Drive）である、各種データを記憶して保持する機能を有している。記憶部は、詳細を後述する処理操作の種類の定義や引継ぎ条件の定義等を記憶する機能を有している。また、制御部３０は、各種画像に対して画像処理を施す機能を有している。
【００３３】
ディスプレイドライバ３２は、ディスプレイ３４への各種情報の表示を制御する機能を有している。本実施の形態のディスプレイ３４は、撮影メニューや撮影された放射線画像等を表示する機能を有している。操作入力検出部３６は、操作パネル３８に対する操作状態や処理操作を検出する機能を有している。操作パネル３８は、放射線画像の撮影や撮影された放射線画像の画像処理に関する処理操作を、ユーザが入力するために用いられる。本実施の形態では操作パネル３８は、例えば、タッチパネル、タッチペン、複数のキー、及びマウス等を含んでいる。なお、操作パネル３８をタッチパネルとする場合は、ディスプレイ３４と同一としてもよい。
【００３４】
また、Ｉ／Ｏ部４０及びＩ／Ｆ部４２は、無線通信等により、ＰＡＣＳ２２の放射線画像処理装置５０との間で各種情報の送受信を行う機能を有している。また、Ｉ／Ｆ部４４は、放射線画像撮影装置１２及びＲＩＳとの間で、各種情報の送受信を行う機能を有している。
【００３５】
制御部３０、ディスプレイドライバ３２、操作入力検出部３６及びＩ／Ｏ部４０は、システムバスやコントロールバス等のバス４６を介して相互に情報等の授受が可能に接続されている。従って、制御部３０は、ディスプレイドライバ３２を介したディスプレイ３４への各種情報の表示の制御、及びＩ／Ｆ部４２を介したＰＡＣＳ２２との各種情報の送受信の制御を各々行うことができる。
【００３６】
本実施の形態のＰＡＣＳ２２は、放射線画像処理装置５０、放射線画像読影装置５２、及び記憶部５４を備えている。
【００３７】
本実施の形態の放射線画像処理装置５０は、コンソール２０からの指示に基づいて、放射線画像撮影装置１２から受信した放射線画像の記憶部５４への記憶を制御する機能を有している。放射線画像処理装置５０は、放射線画像読影装置５２への各種画像の表示を制御する機能を有している。コンソール５０は、また、各種画像に対して画像処理を施す機能を有している。
【００３８】
本実施の形態の放射線画像処理装置５０は、制御部６０、Ｉ／Ｆ部６２、及び記憶部６４を備えている。
【００３９】
制御部６０は、ＰＡＣＳ２２全体を制御する機能を有している。制御部６０は、ＣＰＵ、ＲＯＭ、ＲＡＭ、及び記憶部を備えている。ＣＰＵは、ＰＡＣＳ２２の動作を制御する機能を有している。ＲＯＭには、ＣＰＵで使用される各種プログラム等が予め記憶されている。ＲＡＭは、各種データを一時的に記憶する機能を有している。記憶部は、ＨＤＤ等であり、各種データを記憶して保持する機能を有している。
【００４０】
記憶部６４は、コンソール２０から出力された放射線画像を記憶する機能を有している。記憶部６４としては、例えば、ＨＤＤ等が挙げられる。
【００４１】
Ｉ／Ｆ部６２は、無線通信等により、コンソール２０との間で各種情報の送受信を行う機能を有している。
【００４２】
制御部６０、及び記憶部６４は、システムバスやコントロールバス等のバス６６を介して相互に情報等の授受が可能に接続されている。
【００４３】
本実施の形態の記憶部５４は、放射線画像や、放射線画像処理装置５０によって画像処理された各種画像、及び各種画像に関係する情報を記憶する機能を有している。記憶部５４としては、例えば、ＨＤＤ等が挙げられる。
【００４４】
また、本実施の形態の放射線画像読影装置５２は、放射線画像や画像処理された各種画像を読影者が読影するための機能を有する装置であり、特に限定されないが、いわゆる、読影ビューワやコンソール、及びタブレット端末等が挙げられる。本実施の形態の放射線画像読影装置５２は、パーソナル・コンピュータである。放射線画像読影装置５２は、コンソール２０や放射線画像処理装置５０と同様に、ＣＰＵ、ＲＯＭ、ＲＡＭ、記憶部、ディスプレイドライバ、ディスプレイ５８、操作入力検出部、操作パネル５６、Ｉ／Ｏ部、及びＩ／Ｆ部を備えている。なお、図２では、記載が煩雑になるのを避けるため、上記構成のうち、ディスプレイ５８及び操作パネル５６のみを示し、他の記載を省略している。
【００４５】
本実施の形態の放射線画像撮影システム１０では、１回の撮影により目的が異なる複数の放射線画像を取得することができる。なお、本実施の形態において「１回の撮影」とは、撮影メニューまたはユーザにより設定された１回分（一連）の撮影のことをいい、撮影される放射線画像の枚数は、１枚である場合もあるし、複数枚である場合もある。また、本実施の形態において「１回の撮影」とは、静止画及び動画のいずれであってもよい。なお、以下では、１回の撮影により目的が異なる複数の放射線画像を撮影することを「多目的撮影」という。
【００４６】
本実施の形態において「目的が異なる複数の画像」とは、特に限定されないが、検査の目的や、医師等の読影者が異なる診察・診断に用いるための放射線画像のことをいう。例えば、健康診断における一般の胸部放射線撮影による放射線画像と、塵肺検査用の放射線画像とが挙げられる。また例えば、通常の一般検診用の放射線画像と、特殊用途用画像とが挙げられる。特殊用途用画像としては、人工物の確認用画像、カテーテル強調画像、及びガーゼ強調画像等が挙げられるが特に限定されない。
【００４７】
本実施の形態のコンソール２０は、撮影メニューまたはユーザにより多目的撮影が指示された場合、１回の撮影によって得られた放射線画像を原画像として、原画像に対して異なる画像処理を施すことにより、目的が異なる複数の放射線画像を生成する。なお、本実施の形態において「原画像」とは、放射線画像撮影装置１２で撮影された放射線画像に対して、目的に関係なく一律に全ての放射線画像に施すことが予め定められた画像処理を施した放射線画像のことをいう。
【００４８】
なお、多目的撮影によって生成された目的が異なる複数の放射線画像と、多目的撮影の原画像と、多目的撮影ではない撮影（１回の撮影によって得られた画像から１種類の放射線画像を生成する場合の撮影）によって生成された放射線画像とは、放射線画像の見た目では判別がつかない懸念がある。本実施の形態では、両者を区別するための識別子を各放射線画像（原画像も含む）に対応付けておき、設定やユーザの所望に応じてディスプレイ３４に表示させるようにしている。識別子は、放射線画像がどのように撮影されたいずれの画像であるかについてユーザが認識できるものであれば特に限定されず、マーク、番号、及び名称等のいずれであってもよい。
【００４９】
以下、図面を参照して本実施の形態のコンソール２０の、多目的撮影における画像処理について説明する。なお、以下では、具体的一例として、多目的撮影により一般の胸部放射線撮影用の画像（目的Ａ画像）と、塵肺検査用の画像（目的Ｂ画像）とを生成する場合について説明する。
【００５０】
まず、コンソール２０の多目的撮影における画像処理の基本形態について説明する。基本形態における制御部３０が、共通画像生成部、第１画像生成部、及び第２画像生成部の一例に対応する。
【００５１】
図３には、本実施の形態のコンソール２０の制御部３０によって実行される画像処理の一例の全体の流れを表したフローチャートを示す。本実施の形態のコンソール２０では、制御部３０がＲＯＭに記憶されている画像処理プログラムを実行することにより、本発明の各手段として機能して図３に示した画像処理を実行する。
【００５２】
なお、本実施の形態では、ユーザが、コンソール２０の操作パネル３８により処理操作を行う場合について説明する。以下の画像処理においてコンソール２０は、各種画像をディスプレイ３４に表示させる。
【００５３】
ステップＳ１００では、制御部３０は、処理の種類を選択する。本実施の形態では、処理の種類として、共通処理（共通処理操作）と、個別処理（個別処理操作）と、２つの種類が設けられている。共通処理は、原画像に対して行う処理（処理操作）のことをいう。また、個別処理は、目的Ａ用のための画像、及び目的Ｂ用のための画像の個々に対して行う処理（処理操作）のことをいう。
【００５４】
本実施の形態では、一例として、ユーザに処理の種類を選択させ、ユーザが選択した処理の種類を判断する。選択方法としては、ディスプレイ３４に、ユーザに選択を促す表示を行う方法が挙げられる。図４には、処理の種類をユーザに選択させるための表示の一例を示す。図４に示した具体的一例では、ディスプレイ３４に、共通処理、個別処理（目的Ａ画像）、及び個別処理（目的Ｂ画像）を選択するためのチェックボックス７２、及び終了ボタン７４が表示される。なお、図４に示した具体的一例では、共通処理が選択された状態を示している。ユーザによる選択は、終了ボタン７４がユーザによりボタンダウン（以下、「指示」という）されることにより完了する。
【００５５】
なお、図４では、処理の種類名のみを表示させているが、処理の種類に応じた画像も表示させるようにしてもよい。例えば、共通処理に対しては、原画像を表示させてもよい。また、例えば、本実施の形態の画像処理に係る個別処理（目的Ａ画像）に対しては、目的Ａ用初期画像となる共通処理済原画像を表示させ、個別処理（目的Ｂ画像）に対しては、目的Ｂ用初期画像を表示させてもよい。
【００５６】
ステップＳ１００で判断した処理の種類が共通処理の場合は、ステップＳ１０２へ進み、共通処理（詳細後述）を行った後、ステップＳ１１０へ進む。
【００５７】
一方、ステップＳ１００で判断した処理の種類が個別処理の場合は、ステップＳ１０４へ進む。ステップＳ１０４では、さらに個別処理が目的Ａ画像に対するものであるか否か判断する。目的Ａ画像に対するものである場合は、ステップＳ１０６へ進み、個別処理（目的Ａ）（詳細後述）を行った後、ステップＳ１１０へ進む。一方、目的Ｂ画像に対するものである場合は、ステップＳ１０８へ進み、個別処理（目的Ｂ）（詳細後述）を行った後、ステップＳ１１０へ進む。
【００５８】
ステップＳ１１０では、制御部３０が、他処理（他の種類の処理）を実施するか否か判断する。実施する場合は、ステップＳ１００に戻り、本画像処理を繰り返す。一方、他処理を実施しない場合は、本画像処理を終了する。
【００５９】
次に、本実施の形態の画像処理における上記共通処理、個別処理（目的Ａ）、及び個別処理（目的Ｂ）の詳細について説明する。図５には、本実施の形態のコンソール２０における画像処理（処理操作）の基本形態の流れの一例を示す。図５に示すように、本実施の形態の画像処理の基本形態では、共通処理済の原画像に対して共通処理操作を行った後、各個別処理を行っている。
【００６０】
従って、まず、画像処理（図３参照）のステップＳ１０２の共通処理を行う。図６には、本実施の形態の画像処理中に実行される共通処理の一例のフローチャートを示す。
【００６１】
ステップＳ２００では、制御部３０が、原画像を取得して、ディスプレイ３４に表示させる。原画像は、放射線画像撮影装置１２から取得してもよいし、ＰＡＣＳ２２の記憶部５４等から取得してもよい。なお、本実施の形態では、原画像と共に、原画像に対してユーザが共通処理操作を行うための各種表示もディスプレイ３４に表示させる。
【００６２】
図７Ａ及び図７Ｂには、本実施の形態における原画像及び共通処理操作をユーザが行うための各種表示の具体例を示す。図７Ａに示した一例では、処理の種類と、原画像７０とが表示されている。また、図７Ａに示した一例では、処理操作選択部７６に、ユーザが共通処理操作の種類を選択するための各種処理操作に応じたアイコンが表示される。図７に示した一例の処理操作選択部７６には、回転、移動、拡大、トリミング、及び濃度や輝度等を表すヒストグラム等を選択するためのアイコンが表示されている。ユーザは、操作パネル３８により処理操作選択部７６から共通処理となる処理操作を選択し、原画像７０上で処理操作を行う。パラメータ表示部７８には、ユーザが行った処理操作の度合い（パラメータ）が表示される。
【００６３】
なお、本実施の形態のコンソール２０では、共通処理操作の種類をユーザが設定できるようにしてもよい。この場合、コンソール２０の制御部３０が、設定部の一例に対応する。本実施の形態のコンソール２０では、制御部３０内に共通処理操作の種類の設定を記憶する設定記憶部（図示省略）が設けられており、設定記憶部に設定を記憶させることにより、共通処理操作の種類の設定が行われる。本実施の形態のコンソール２０では、共通処理操作の種類の設定が行われた場合は、設定されなかった処理操作については、共通処理として行うことを禁止している。共通処理操作の種類の設定が行われた場合は、図７Ｂに示した一例のように、共通処理操作として設定されなかった処理操作を示すマーク７６Ｂを表示させるようにしてもよい。また例えば、図７Ａのように、設定された共通処理操作のみを表示させるようにしてもよい。
【００６４】
なお、ユーザが行う処理操作（共通処理操作）は図７Ａ及び図７Ｂに示した具体例に限定されない。
【００６５】
本実施の形態の画像処理では、ユーザは、原画像７０に対して、目的Ａのための画像及び目的Ｂのための画像に処理を反映させる共通処理操作を行う。本実施の形態では、他の処理操作と区別する場合は、目的Ａのための画像及び目的Ｂのための画像の両方に処理を反映させる共通処理操作、及び共通処理操作によりコンソール２０が施す画像処理を「共通処理ＡＢ」という。また、共通処理操作済の原画像を「共通処理済原画像」という。なお、本実施の形態の画像処理の共通処理（図６）においてユーザが行った処理操作は、全て共通処理操作ＡＢとなる。
【００６６】
ステップＳ２０２では、制御部３０が、共通処理操作の受け付けを開始したか否か判断する。本実施の形態では、例えば、処理操作選択部７６で処理操作が選択され、原画像７０上で何らかの操作が行われた場合に、共通処理操作を受け付けたと判断する。具体的一例としては、原画像７０上で、操作パネル３８のマウスの指示を検出した場合に共通処理操作の受け付けを開始したと判断することが挙げられる。共通処理操作を受け付けていない場合は待機状態となり、共通処理操作を受け付けるとステップＳ２０４へ進む。
【００６７】
ステップＳ２０４では、制御部３０が、共通処理操作に応じた画像処理を原画像７０に施し、画像処理を施された原画像７０をディスプレイ３４に表示させる。すなわち、ユーザが行う共通処理操作に応じた画像が順次生成され、図７に示したディスプレイ３４の原画像７０に替わり順次表示されていく。
【００６８】
次のステップＳ２０６では、制御部３０が、共通処理操作が終了したか否か判断する。具体的一例としては、ユーザが操作パネル３８のマウスの指示（ボタンダウン）を受けて共通処理操作の受け付けの開始を検出した場合は、ボタンアップの時点を共通処理操作の終了として判断することが挙げられる。終了していない場合は、ステップＳ２０４に戻り処理を繰り返す。一方、終了した場合は、ステップＳ２０８へ進む。
【００６９】
ステップＳ２０８では、受け付けた共通処理操作の処理内容と、原画像とを対応付けて、制御部３０内の記憶部に記憶させる。なお、ユーザが同一の共通処理操作について複数回、操作を行った場合は、各々の処理内容について記憶してもよいし、処理内容を統括して記憶してもよい。例えば、原画像７０を回転する共通処理操作を、１５度右回転、１０度左回転、１５度右回転、及び３０度右回転の４回行った場合を挙げる。処理内容としては、「１５度右回転」、「１０度左回転」、「１５度右回転」、及び「３０度右回転」の４つを記憶させてもよいし、「５０度右回転」のみを記憶させてもよい。
【００７０】
また、どのように原画像と処理内容とを対応付けて記憶させるかは、限定されない。例えば、上記のように、原画像と処理内容（「５０度右回転」）との両方を対応付けて記憶させてもよいし、原画像に処理内容に応じた画像処理（共通処理）を施した画像の画像情報を記憶させてもよい。
【００７１】
次のステップＳ２１０では、制御部３０が、ユーザによる共通処理操作が全て終了されたか否か判断する。本実施の形態では、制御部３０は、図７に示したディスプレイ３４に表示された終了ボタン７４がユーザにより指示されたことを検出した場合に、終了されたと判断する。終了されていない場合は、ステップＳ２０２に戻り、新たな共通処理操作についてステップＳ２０２〜ステップＳ２０８の各処理を繰り返す。一方、終了ボタン７４がユーザにより指示されたことを検出した場合は、本共通処理を終了する。なお、終了したか否かの判断方法は、特に限定されず、例えば、個別処理操作を行うために共通処理済原画像をユーザが選択したことを検出した場合に、終了したと判断してもよい。
【００７２】
本実施の形態の画像処理では、共通処理（図３のステップＳ１０２、図６）が終了すると、個別処理を行う。個別処理は、個別処理（目的Ａ）（図３のステップＳ１０６）及び個別処理（目的Ｂ）（図３のステップＳ１０８）のいずれを先に行ってもよい。以下では、説明の便宜上、個別処理（目的Ａ）について説明する。
【００７３】
図８には、本実施の形態の基本形態に係る画像処理中に実行される個別処理（目的Ａ）の一例のフローチャートを示す。
【００７４】
ステップＳ３００−０では、制御部３０が、共通処理済原画像を制御部３０内の記憶部から取得する。
【００７５】
次のステップＳ３０８−０では、取得した共通処理済原画像を、目的Ａ画像を生成するための元となる、目的Ａ用画像としてディスプレイ３４に表示させる。なお、本実施の形態では、目的Ａ用画像と共に、目的Ａ用画像に対してユーザが個別処理操作を行うための各種表示もディスプレイ３４に表示させる。なお、本実施の形態では、目的Ａ画像を生成するために、ユーザが行う個別処理操作を「個別処理操作Ａ」という。
【００７６】
次のステップＳ３１０−０では、制御部３０が、個別処理操作の受け付けを開始したか否か判断する。本実施の形態では、例えば、処理操作選択部７６で処理操作が選択され、目的Ａ用画像７０Ａ上で何らかの操作が行われた場合に、個別処理操作を受け付けたと判断する。具体的一例としては、目的Ａ用画像７０Ａ上で、操作パネル３８のマウスの指示を検出した場合に個別処理操作の受け付けを開始したと判断することが挙げられる。個別処理操作を受け付けていない場合は待機状態となり、個別処理操作を受け付けるとステップＳ３１２−０へ進む。
【００７７】
ステップＳ３１２−０では、制御部３０が、個別処理操作に応じた画像処理を目的Ａ用画像７０Ａに施し、画像処理を施された目的Ａ用画像７０Ａをディスプレイ３４に表示させる。
【００７８】
次のステップＳ３１４−０では、制御部３０が、個別処理操作が終了したか否か判断する。具体的一例としては、ユーザが操作パネル３８のマウスの指示を受けて個別処理操作の受け付けの開始を検出した場合は、ボタンアップの時点を個別処理操作の終了として判断することが挙げられる。終了していない場合は、ステップＳ３１２−０に戻り処理を繰り返す。一方、終了した場合は、ステップＳ３１６−０へ進む。
【００７９】
ステップＳ３１６−０では、制御部３０が、ユーザによる個別処理操作が全て終了されたか否か判断する。終了されていない場合は、ステップＳ３１０−０に戻り、新たな個別処理操作についてステップＳ３１０−０〜ステップＳ３１４−０の各処理を繰り返す。一方、終了ボタン７４がユーザにより指示されたことを検出した場合は、ステップＳ３１８−０へ進む。
【００８０】
本実施の形態では、個別処理操作の終了により、目的Ａ画像の生成が終了するため、ステップＳ３１８−０では、ディスプレイ３４に目的Ａ画像を表示させて、ユーザに目的Ａ画像を確認させる。
【００８１】
制御部３０は、目的Ａ画像の生成の終了を検出するとステップＳ３２０−０へ進む。ステップＳ３２０−０では、目的Ａ画像の画像情報と、目的Ａ画像の生成のために施した処理（画像解析処理、共通処理、及び個別処理を含む）の処理内容とを対応付けて制御部３０内の記憶部に記憶させた後、本個別処理（目的Ａ）を終了する。なお、目的Ａ画像の画像情報と処理内容との記憶の仕方は特に限定されない。
【００８２】
なお、目的Ｂ画像を生成するための個別処理（目的Ｂ）（図３のステップＳ１０８）は、上記個別処理（目的Ａ）における「Ａ」を「Ｂ」と置き換えればよく、同様の処理であり、各ステップの処理は同様であるため詳細な説明を省略する。すなわち、共通処理済原画像を目的Ｂ用画像として、これに対して個別処理を行うことにより、目的Ｂ画像を生成する。なお、本実施の形態では、目的Ｂ画像を生成するために、ユーザが行う個別処理操作を「個別処理操作Ｂ」という。
【００８３】
このように、本実施の形態の基本形態では、コンソール２０の制御部３０は、まず、原画像に対して共通処理操作を行う。そして、制御部３０は、共通処理済原画像を目的Ａ用画像として、個別処理（目的Ａ）を行うことにより目的Ａ画像を生成する。また、制御部３０は、共通処理済原画像を目的Ｂ用画像として、個別処理（目的Ｂ）を行うことにより目的Ｂ画像を生成する。
【００８４】
次に、本実施の形態の応用形態に係る画像処理について説明する。図９には、本実施の形態のコンソール２０における画像処理（処理操作）の応用形態の流れの一例を示す。図９に示すように、本実施の形態の画像処理の応用形態では、共通処理済の原画像に対して共通処理操作を行った後、各個別処理を行っている。
【００８５】
応用形態におけるコンソール２０の制御部３０が、生成部、反映部、及び画像処理部の一例に対応する。また、コンソール２０のＩ／Ｆ部４２が受付部の一例に対応する。
【００８６】
応用形態の画像処理全体の流れ、及び共通処理については、上述の基本形態と同様（図３、６参照）であるため、説明を省略する。
【００８７】
本実施の形態の応用形態に係る個別処理について説明する。
【００８８】
図１０には、本実施の形態の応用形態に係る画像処理中に実行される個別処理（目的Ａ）の一例のフローチャートを示す。
【００８９】
なお、本実施の形態において、「画像解析処理」とは、コンソール２０が自動的に（ユーザの指示無く）施す画像処理のことをいう。また、本実施の形態において「画像解析処理Ａ」及び「画像解析処理Ｂ」は、原画像から目的Ａ画像及び目的Ｂ画像を生成するために、予め定められた画像解析処理のことをいう。なお、画像解析処理Ａ及び画像解析処理Ｂは、目的に応じて定められ、それぞれ処理条件が異なる処理である他は、特に限定されない。「処理条件が異なる」とは、例えば、画像解析処理Ａ及び画像解析処理Ｂは、全く種類が異なる画像処理であってもよいし、同一種類（例えば階調処理）であるがパラメータが異なる画像処理であってもよい。
【００９０】
ステップＳ３００では、制御部３０が、原画像を取得して、ディスプレイ３４に表示させる。原画像は、放射線画像撮影装置１２から取得してもよいし、ＰＡＣＳ２２の記憶部５４等から取得してもよい。
【００９１】
次のステップＳ３０２では、制御部３０が、原画像に対して、画像解析処理Ａを行う。次のステップＳ３０４では、共通処理が有るか否か判断する。本実施の形態では、上記共通処理（図３のステップＳ１０２、図６）において原画像に対応付けて共通処理操作の処理内容が記憶されている場合は、共通処理が有ると判断してステップＳ３０６へ進む。ステップＳ３０６では、画像解析処理Ａが施された原画像に対して共通処理操作の処理内容を反映させて、目的Ａ用画像を生成する（図９参照）。
【００９２】
本実施の形態の画像処理では、上述したように、まず、共通処理を行っているが、共通処理が行われなかった場合が含まれてもよい。このような場合は、制御部３０は、ステップＳ３０４で、共通処理が無いと判断して、画像解析処理Ａが施された原画像を目的Ａ用画像としてステップＳ３０８へ進む。
【００９３】
なお、目的Ａ用画像の生成の仕方は限定されない。図１１には、目的Ａ用画像を生成するための処理である個別処理（目的Ａ）のステップＳ３００〜ステップＳ３０８までの別処理のフローチャートの一例を示す。図１１に示した一例では、画像解析処理Ａを、ステップＳ３０４及びステップＳ３０６の後に行っている。図１１に示した一例では、原画像に対して共通処理を施した後に、共通処理が施された原画像に対して画像解析処理Ａを行う。また、例えば、目的Ａ用画像の生成の仕方は、上記共通処理（図３のステップＳ１０２、図６）において共通処理を施した原画像の画像情報が記憶されている場合は、画像情報を取得して画像解析処理Ａを施すようにしてもよい。
【００９４】
次のステップＳ３０８では、制御部３０が、目的Ａ用画像をディスプレイ３４に表示させる。なお、本実施の形態では、目的Ａ用画像と共に、目的Ａ用画像に対してユーザが個別処理操作を行うための各種表示もディスプレイ３４に表示させる。
【００９５】
図１２には、本実施の形態における目的Ａ用画像及び個別処理操作をユーザが行うための各種表示の一例を示す。表示の方法は特に限定されないが、本実施の形態では、上記共通処理（図３のステップＳ１０２、図６）のステップＳ２００で原画像を表示させた際の図７Ａに示した表示と類似した表示を行っている。図１２に示した一例では、処理の種類と、目的Ａ用画像７０Ａとが表示されている。また、図１２に示した一例では、処理操作選択部７６に、ユーザが個別処理操作の種類を選択するための各種処理操作に応じたアイコンが表示される。図１２に示した一例の処理操作選択部７６には、回転、移動、拡大、トリミング、及び濃度や輝度等を表すヒストグラム等を選択するためのアイコンが表示されている。ユーザは、操作パネル３８により処理操作選択部７６から個別処理となる処理操作を選択し、目的Ａ用画像７０Ａ上で処理操作を行う。パラメータ表示部７８には、ユーザが行った処理操作の度合い（パラメータ）が表示される。なお、ユーザが行う処理操作（個別処理操作）は図１２に示した一例に限定されない。
【００９６】
本実施の形態のコンソール２０では、個別処理においても上記共通処理と同様に、個別処理操作の種類をユーザが設定できるようにしてもよい。本実施の形態のコンソール２０では、制御部３０内に設けられた設定記憶部（図示省略）に個別処理操作の種類の設定を記憶させることにより、個別処理操作の種類の設定が行われる。個別処理操作の種類の設定が行われた場合は、共通処理において説明した図７Ｂに示した一例のように、個別処理操作として設定されなかた処理操作を示すマーク７６Ｂを表示させるようにしてもよい。また例えば、図１２のように、設定された個別処理操作のみを表示させるようにしてもよい。
【００９７】
ユーザは、図１２に一例を示した表示に応じて個別処理操作となる処理操作を行う。例えば、濃度の変更や、特定構造物を見つけるために作成された画像に対して、目的の構造物にマークとコメントとを追加する等の処理操作を行う。
【００９８】
次のステップＳ３１０では、制御部３０が、個別処理操作の受け付けを開始したか否か判断する。本実施の形態では、例えば、処理操作選択部７６で処理操作が選択され、目的Ａ用画像７０Ａ上で何らかの操作が行われた場合に、個別処理操作を受け付けたと判断する。具体的一例としては、目的Ａ用画像７０Ａ上で、操作パネル３８のマウスによる指示を検出した場合に個別処理操作の受け付けを開始したと判断することが挙げられる。個別処理操作を受け付けていない場合は待機状態となり、個別処理操作を受け付けるとステップＳ３１２へ進む。
【００９９】
ステップＳ３１２では、制御部３０が、個別処理操作に応じた画像処理を目的Ａ用画像７０Ａに施し、画像処理を施された目的Ａ用画像７０Ａをディスプレイ３４に表示させる。すなわち、ユーザが行う個別処理操作に応じた画像が順次生成され、図１２に示したディスプレイ３４の目的Ａ画像７０Ａに替わり順次表示されていく。
【０１００】
次のステップＳ３１４では、制御部３０が、個別処理操作が終了したか否か判断する。具体的一例としては、ユーザが操作パネル３８のマウスの指示を受けて個別処理操作の受け付けの開始を検出した場合は、ボタンアップの時点を個別処理操作の終了として判断することが挙げられる。終了していない場合は、ステップＳ３１２に戻り処理を繰り返す。一方、終了した場合は、ステップＳ３１６へ進む。
【０１０１】
ステップＳ３１６では、制御部３０が、ユーザによる個別処理操作が全て終了されたか否か判断する。本実施の形態では、図１２に示したディスプレイ３４に表示された終了ボタン７４がユーザにより指示されたことを検出した場合に、終了されたと判断する。終了されていない場合は、ステップＳ３１０に戻り、新たな個別処理操作について制御部３０が、ステップＳ３１０〜ステップＳ３１４の各処理を繰り返す。一方、終了ボタン７４がユーザにより指示されたことを検出した場合は、ステップＳ３１８へ進む。
【０１０２】
本実施の形態では、個別処理（目的Ａ）の終了により、目的Ａ画像の生成が終了するため、ステップＳ３１８では、制御部３０が、ディスプレイ３４に目的Ａ画像を表示させて、ユーザに目的Ａ画像を確認させる。図１３Ａには、本実施の形態における確認用の目的Ａ画像の表示の一例を示す。図１３Ａに示した一例では、目的Ａ画像と、終了ボタン７４と、修正ボタン７５と、が表示されている。本実施の形態のコンソール２０では、制御部３０が、終了ボタン７４が指示されたことを検出することにより、目的Ａ画像の生成を完了する。また、本実施の形態のコンソール２０では、修正ボタン７５が指示されたことを検出した場合は、ステップＳ３１０〜ステップＳ３１６の各処理を再び行って、目的Ａ画像の修正を行う。
【０１０３】
制御部３０が、終了ボタン７４が指示されたことを検出するとステップＳ３２０へ進む。ステップＳ３２０では、目的Ａ画像の画像情報と、目的Ａ画像の生成のために施した処理（画像解析処理、共通処理、及び個別処理を含む）の処理内容とを対応付けて制御部３０内の記憶部に記憶させた後、本個別処理（目的Ａ）を終了する。なお、目的Ａ画像の画像情報と処理内容との記憶の仕方は特に限定されない。例えば、上記共通処理（図６）のステップＳ２０８と同様にしてもよい。また例えば、個別処理の処理内容と、目的Ａ用画像とを記憶させてもよい。
【０１０４】
なお、個別処理（目的Ａ）により生成された目的Ａ画像の出力先がそれぞれ予め定められている場合、またはユーザにより指定された場合は、各々出力先（例えば、ＰＡＣＳ２２の放射線画像処理装置５０や放射線画像読影装置５２等）に出力させればよい。
【０１０５】
また、本実施の形態の応用形態に係る画像処理では、個別処理（目的Ａ）を先に行った場合は、次に個別処理（目的Ｂ）を行い、目的Ｂ画像を生成する。個別処理（目的Ｂ）についても、上記個別処理（目的Ａ）と同様であり、個別処理（目的Ａ）における「Ａ」を「Ｂ」に変更すればよく、各ステップの処理は同様である。個別処理（目的Ｂ）においてユーザが行う個別処理は特に限定されず、個別処理（目的Ａ）と同種類の処理操作であってもよい。具体的一例としては、画像のトリミングや、ユーザである医師等の診断に適した画像処理パラメータの調整等が挙げられる。図１３Ｂには、本実施の形態の個別処理（目的Ｂ）における確認用の目的Ｂ画像の表示の一例を示す。なお、個別処理（目的Ｂ）を先に行った場合は、次に個別処理（目的Ａ）を行い、目的Ａ画像を生成することはいうまでもない。
【０１０６】
なお、本実施の形態の応用形態に係る個別処理（目的Ａ）及び個別処理（目的Ｂ）では、共通処理を全て反映させているが、全てを反映させなくてもよい。例えば、ステップＳ３０８で、目的Ａ用画像７０Ａ及び個別処理操作をユーザが行うための各種表示（図１２参照）を行う前に、図１４に示したように、目的Ａ用画像７０Ａの生成に当たり反映させた共通処理を示す表示を行うようにしてもよい。図１４に示した表示を行った場合は、ユーザは、表示された目的Ａ用画像７０Ａを確認し、反映をさせない方がよいと判断した共通処理のチェックボックス７９に対してチェックを行うことにより、反映する処理を変更することができる。コンソール２０は、チェックボックス７９に対してチェックが行われたことを検出すると、チェック内容に応じてステップＳ３０６における、共通処理を反映させる処理をやり直せばよい。
【０１０７】
［第２の実施の形態］
本実施の形態の放射線画像撮影システム１０、コンソール２０、及びＰＡＣＳ２２は、第１の実施の形態の放射線画像撮影システム１０、コンソール２０、及びＰＡＣＳ２２と略同様の構成及び動作であるため、同一部分については、詳細な説明を省略する。
【０１０８】
放射線画像撮影システム１０、コンソール２０、及びＰＡＣＳ２２の構成は、第１の実施の形態と同一であるため、本実施の形態では説明を省略する。
【０１０９】
図１５には、本実施の形態のコンソール２０における画像処理（処理操作）の流れの一例を示す。図１５に示すように、本実施の形態の画像処理では、共通処理を行った後、各個別処理を行っている点では第１の実施の形態（図５参照）と同様である。本実施の形態の画像処理では、原画像に対して、上記第１の実施の形態と同様である共通処理ＡＢ、目的Ａのためにのみ共通する共通処理Ａ、及び目的Ｂのためにのみ共通する共通処理Ｂの３種類の共通処理を行う点が第１の実施の形態の画像処理と異なっている。
【０１１０】
本実施の形態のコンソール２０で実行される画像処理全体の流れは、第１の実施の形態（図３参照）と同様であるため、詳細な説明を省略し、本実施の形態の共通処理について詳細に説明する。図１６には、本実施の形態の画像処理中に実行される共通処理の一例のフローチャートを示す。
【０１１１】
ステップＳ２００では、第１の実施の形態の共通処理のステップＳ２００と同様に、原画像を取得して、ディスプレイ３４に表示させる。なお、本実施の形態においても、原画像と共に、原画像に対してユーザが共通処理操作を行うための各種表示もディスプレイ３４に表示させるが、表示内容の一部が第１の実施の形態と異なっている。
【０１１２】
図１７には、本実施の形態における原画像及び共通処理操作をユーザが行うための各種表示の具体例を示す。図１７に示した一例では、処理の種類と、原画像７０と、処理操作選択部７６と、が表示されている。さらに、本実施の形態では、終了ボタン７４の他に、共通ボタン７７Ａ、目的Ａボタン７７Ｂ、及び目的Ｂボタン７７Ｃが表示されている。
【０１１３】
本実施の形態の共通処理の次のステップＳ２０２〜ステップＳ２０６の各処理は、第１の実施の形態と同様に、共通処理操作を受け付けて、共通処理操作に応じた画像処理を行って処理画像をディスプレイ３４に表示し、共通処理操作が終了したか否か判断する。なお、本実施の形態では、上述したように、３種類の共通処理が存在する。そのため、ユーザは、共通処理操作前、または共通処理操作後に操作を行った共通処理操作の種類を共通ボタン７７Ａ、目的Ａボタン７７Ｂ、及び目的Ｂボタン７７Ｃのいずれかにより指示する。具体的には、共通処理ＡＢの場合、ユーザは、共通ボタン７７Ａを指示する。また、共通処理Ａの場合、ユーザは、目的ボタンＡ７７Ｂを指示する。共通処理Ｂの場合、ユーザは、目的ＢボタンＢ７７Ｃを指示する。なお、共通処理操作前、及び共通処理操作後のいずれに共通処理の種類を指示するかは、予め定めておけばよい。
【０１１４】
なお、処理操作がいずれの種類の共通処理に対応するかが予め設定されている場合は、ユーザによる共通処理の種類の指示を行わなくてもよい。予め設定されている場合は、図１７に示した表示に替わり、第１の実施の形態で説明した図７Ａと同様の表示を行ってもよい。
【０１１５】
また、本実施の形態においても共通処理操作を予め設定する場合は、第１の実施の形態の図７Ｂと同様に、共通処理操作として設定されなかった処理操作を示すマーク７６Ｂを表示させるようにしてもよい。
【０１１６】
本実施の形態の共通処理では、制御部３０は、ステップＳ２０６で共通処理操作が終了したと判断した場合は、ステップＳ２０７へ進む。
【０１１７】
ステップＳ２０７では、制御部３０は、共通処理操作の反映先を決定する。本実施の形態では、上述のように共通処理の種類が指示されるため、指示に基づいて反映先を決定する。
【０１１８】
次のステップＳ２０９では、制御部３０は、受け付けた共通処理操作の処理内容と、原画像と、反映先とを対応付けて、制御部３０内の記憶部に記憶させる。処理内容と原画像との対応付け方は、第１の実施の形態と同様にすればよい。
【０１１９】
次のステップＳ２１０では、第１の実施の形態と同様に、制御部３０が、ユーザによる共通処理操作が全て終了されたか否か判断する。終了されていない場合は、ステップＳ２０２に戻り、新たな共通処理操作についてステップＳ２０２〜ステップＳ２０９の各処理を繰り返す。一方、終了ボタン７４がユーザにより指示されたことを検出した場合は、本共通処理を終了する。
【０１２０】
共通処理後に行われる、個別処理（目的Ａ）及び個別処理（目的Ｂ）は、第１の実施の形態の応用形態（図１０参照）と略同様である。なお、本実施の形態においては、個別処理（目的Ａ）のステップＳ３０６では、制御部３０が、共通処理ＡＢ及び共通処理Ａの両方を反映させる。また、個別処理（目的Ｂ）のステップＳ３０６では、制御部３０が、共通処理ＡＢ及び共通処理Ｂの両方を反映させることはいうまでもない。
【０１２１】
［第３の実施の形態］
本実施の形態の放射線画像撮影システム１０、コンソール２０、及びＰＡＣＳ２２は、第１の実施の形態の放射線画像撮影システム１０、コンソール２０、及びＰＡＣＳ２２と略同様の構成及び動作であるため、同一部分については、詳細な説明を省略する。
【０１２２】
放射線画像撮影システム１０、コンソール２０、及びＰＡＣＳ２２の構成は、第１の実施の形態と同一であるため、本実施の形態では説明を省略する。
【０１２３】
図１８には、本実施の形態のコンソール２０における画像処理（処理操作）の流れの一例を示す。図１８に示すように、本実施の形態の画像処理では、共通処理を行った後、再び、原画像に対して共通処理（以下、「再共通処理」という）が行われる。再共通処理を行う場合としては、例えば、先に行った共通処理の微調整を行う場合や、追加の共通処理を行う場合が挙げられる。本実施の形態の画像処理においては、再共通処理を行うタイミングは、特に限定されない。
【０１２４】
具体的一例として図１８には、第１の実施の形態の応用形態に係る個別処理（目的Ａ）が個別処理（目的Ｂ）よりも先に行われ、個別処理（目的Ａ）中に再共通処理を行う場合の画像処理の流れを示している。図１８に示した具体的一例では、ステップＳ１０６の個別処理（目的Ａ）の実施中に再共通処理を行いたい場合は、制御部３０は、ステップＳ１０６の個別処理（目的Ａ）を終了させた後、ステップＳ１１０及びステップＳ１００の各処理を経由して再びステップＳ１０２の共通処理を再共通処理として行えばよい。本実施の形態の画像処理では、初めに行われるステップＳ１０２の処理、及び再共通処理として行われるステップＳ１０２の処理は、第１の実施の形態の画像処理におけるステップＳ１０２の共通処理（図６参照）と同様である。なお、本実施の形態では、再共通処理において行われた共通処理を「共通処理ＡＢ２」という。
【０１２５】
さらに、再共通処理を終了させた後、制御部３０が、ステップＳ１１０、ステップＳ１００、及びステップＳ１０４の各処理を経由して再びステップＳ１０６の個別処理（目的Ａ）を実行して、個別処理操作Ａを再び行うようにすればよい。
【０１２６】
共通処理、再共通処理、及び個別処理（目的Ａ）が行われた後に個別処理（目的Ｂ）を行う場合は、原画像に対して画像解析処理Ｂが施され、共通処理ＡＢ及び共通処理ＡＢ２が反映された画像が目的Ｂ用画像として生成される。
【０１２７】
また例えば、図１８に示したタイミングに限定されず再共通処理は、共通処理後から各個別処理（個別処理（目的Ａ）及び個別処理（目的Ｂ））の前の間に行ってもよい。各個別処理の前に行う場合は、図３に示した画像処理のステップＳ１０２の終了後に、制御部３０は、ステップＳ１０４〜ステップＳ１０８の各処理を行わずに、再びステップＳ１０２の共通処理を再共通処理として行えばよい。
【０１２８】
なお、個別処理（目的Ａ）及び個別処理（目的Ｂ）の少なくとも一方の終了後に、再共通処理を行う場合は、各個別処理により生成され、記憶されている目的Ａ画像や目的Ｂ画像に対して再共通処理を反映させればよい。
【０１２９】
［第４の実施の形態］
本実施の形態の放射線画像撮影システム１０、コンソール２０、及びＰＡＣＳ２２は、第１の実施の形態の放射線画像撮影システム１０、コンソール２０、及びＰＡＣＳ２２と略同様の構成及び動作であるため、同一部分については、詳細な説明を省略する。
【０１３０】
放射線画像撮影システム１０、コンソール２０、及びＰＡＣＳ２２の構成は、第１の実施の形態と同一であるため、本実施の形態では説明を省略する。
【０１３１】
図１９には、本実施の形態のコンソール２０における画像処理（処理操作）の流れの一例を示す。図１９に示すように、第１の実施の形態の応用形態と異なり、本実施の形態の画像処理では、共通処理を行った後、一方の目的画像の生成のために行われる個別処理において行われた個別処理操作を、他方の目的画像の生成のために行われる個別処理に対して引き継ぐことができる。個別処理操作を引き継ぐ場合としては、例えば、先に行った共通処理の微調整を行う場合や、追加の共通処理を行う場合等、個別処理を共通処理として引き継ぐ場合が挙げられる。本実施の形態のコンソール２０の制御部３０が、引継部の一例に対応する。
【０１３２】
具体的一例として図１９には、個別処理（目的Ａ）が個別処理（目的Ｂ）よりも先に行われ、個別処理（目的Ａ）において行われた個別処理操作（以下、「個別処理操作ＡＢ」という）を個別処理（目的Ｂ）に対して引き継ぐ場合の画像処理の流れを示している。
【０１３３】
本実施の形態の画像処理全体の流れは第１の実施の形態（図３参照）と同様であり、画像処理における共通処理（図６参照）も、第１の実施の形態と同様であるため、詳細な説明を省略する。
【０１３４】
本実施の形態のコンソール２０で実行される画像処理全体及び共通処理の流れは、第１の実施の形態（図３参照）と同様であるため、詳細な説明を省略する。本実施の形態では、第１の実施の形態の応用形態に係る個別（目的Ａ）処理と、個別（目的Ａ）処理が異なるため、個別（目的Ａ）処理について詳細に説明する。なお、本実施の形態の個別処理（目的Ｂ）は、本実施の形態の個別処理（目的Ａ）と同様であり、個別処理（目的Ａ）における「目的Ａ」を「目的Ｂ」に変更すればよく、各ステップの処理は同様である。
【０１３５】
図２０には、本実施の形態の画像処理中に実行される個別処理（目的Ａ）の一例のフローチャートを示す。ステップＳ３００〜ステップＳ３１４の各処理は、第１の実施の形態の応用形態に係る個別処理（目的Ａ）のステップＳ３００〜ステップＳ３１４の各処理と同様である。本実施の形態の個別処理（目的Ａ）においてもステップＳ３００〜ステップＳ３０６の各処理により、制御部３０が、原画像を取得してディスプレイ３４に表示させ、また、原画像に対して画像解析処理Ａを行う。さらに、制御部３０は、共通処理が有るか否か判断し、共通処理が有る場合は、画像解析処理Ａが施された原画像に対して共通処理操作の処理内容を反映させて、目的Ａ用画像を生成する。
【０１３６】
次に、ステップＳ３０８では、制御部３０が、目的Ａ用画像と共に、目的Ａ用画像に対してユーザが個別処理操作を行うための各種表示をディスプレイ３４に表示させるが、表示内容の一部が第１の実施の形態と異なっている。
【０１３７】
図２１には、本実施の形態における目的Ａ用画像及び個別処理操作をユーザが行うための各種表示の具体例を示す。図２１に示した一例では、処理の種類と、目的Ａ用画像７０Ａと、処理操作選択部７６と、が表示されている。さらに、本実施の形態では、終了ボタン７４の他に、引継ボタン８０が表示されている。
【０１３８】
本実施の形態の個別処理（目的Ａ）の次のステップＳ３１０〜ステップＳ３１４の各処理は、第１の実施の形態の応用形態と同様に、個別処理操作を受け付けて、個別処理操作に応じた画像処理を行って処理画像をディスプレイ３４に表示し、個別処理操作が終了したか否か判断する。なお、本実施の形態では、上述したように、個別処理（目的Ａ）において行われた個別処理操作を、共通処理操作として個別処理（目的Ｂ）に引き継ぐことができる。そのため、ユーザは、共通処理操作として引き継ぎたい個別処理操作前、または個別処理操作後に引継ボタン８０を指示することにより、共通処理操作として引き継ぐことを指示する。なお、個別処理操作前、及び個別処理操作後のいずれにおいて指示を行うかは、予め定めておけばよい。
【０１３９】
なお、共通処理操作として引き継ぐ個別処理操作の種類が予め設定されている場合は、ユーザによる引継ぎの指示を行わなくてもよい。予め設定されている場合は、図２１に示した表示に替わり、第１の実施の形態で説明した図７Ａと同様の表示を行ってもよい。
【０１４０】
本実施の形態の個別処理（目的Ａ）では、制御部３０は、ステップＳ３１４で個別処理操作が終了したと判断した場合は、ステップＳ３１５−１へ進む。
【０１４１】
ステップＳ３１５−１では、制御部３０は、個別処理操作を個別処理（目的Ｂ）に引き継ぐか否か判断する。本実施の形態の制御部３０では、上述したように、引継ボタン８０の指示を検出した場合に、引き継ぐと判断する。なお、共通処理操作の種類が設定されている場合は、設定されている共通処理操作において上記共通処理操作においてユーザが行わなかった共通処理操作は、個別処理に際して行われても、他方の画像の個別処理に対して引き継がないようにしてもよい。このようにすることにより、意図しない処理操作が共通処理操作として引き継がれることを抑制することができる。引き継がない場合は、ステップＳ３１６へ進み、引き継ぐ場合は、ステップＳ３１５−２へ進む。
【０１４２】
ステップＳ３１５−２では、制御部３０は、個別処理操作の処理内容を引継ぎ先となる目的Ｂに対応付けて記憶部５４または記憶部６４に記憶させた後、ステップＳ３１６へ進む。なお、どのように対応付けて記憶させるかについては特に限定されない。
【０１４３】
次のステップＳ３１６〜ステップＳ３２０の各処理は、第１の実施の形態の応用形態と同様に、制御部３０は、ユーザによる個別処理操作が全て終了されたか否か判断し、終了された場合は、ディスプレイ３４に目的Ａ画像を表示させて、ユーザに目的Ａ画像を確認させる。さらに、目的Ａ画像の画像情報と、目的Ａ画像の生成のために施した処理（画像解析処理、共通処理、及び個別処理を含む）の処理内容とを対応付けて制御部３０内の記憶部に記憶させた後、本個別処理（目的Ａ）を終了する。
【０１４４】
［第５の実施の形態］
本実施の形態の放射線画像撮影システム１０、コンソール２０、及びＰＡＣＳ２２は、第１の実施の形態の放射線画像撮影システム１０、コンソール２０、及びＰＡＣＳ２２と略同様の構成及び動作であるため、同一部分については、詳細な説明を省略する。
【０１４５】
放射線画像撮影システム１０、コンソール２０、及びＰＡＣＳ２２の構成は、第１の実施の形態と同一であるため、本実施の形態では説明を省略する。
【０１４６】
上記第３の実施の形態及び第４の実施の形態では、個別処理（目的Ａ）や個別処理（目的Ｂ）の開始後も、共通処理操作（共通処理操作とする個別処理操作を行う場合を含む）を行っていた。一方、本実施の形態の画像処理では、個別処理（目的Ａ）や個別処理（目的Ｂ）を行った場合は、共通処理操作を禁止する。本実施の形態の制御部３０が、禁止部の一例に対応する。
【０１４７】
図２２には、本実施の形態のコンソール２０の制御部３０によって実行される画像処理の一例の全体の流れを表したフローチャートを示す。
【０１４８】
ステップＳ１００の処理は、第１の実施の形態の共通処理のステップＳ１００の処理と同様である。本実施の形態の画像処理においても、処理の種類を選択する。ステップＳ１００で制御部３０が、処理の種類が個別処理であると判断した場合に行われるステップＳ１０４〜ステップＳ１０８の各処理は、第１の実施の形態のステップＳ１０４〜ステップＳ１０８の各処理と同様であるため、詳細な説明を省略する。
【０１４９】
一方、第１の実施の形態と異なり、本実施の形態のステップＳ１００で制御部３０が、処理の種類が共通処理であると判断した場合は、ステップＳ１０１へ進む。ステップＳ１０１で、制御部３０は、個別処理が実施済みであるか否か判断する。個別処理（目的Ａ）及び個別処理（目的Ｂ）のいずれも実施されていない場合は、ステップＳ１０２へ進み、第１の実施の形態と同様に、共通処理を行う。一方、個別処理（目的Ａ）及び個別処理（目的Ｂ）の少なくとも一方が既に実施されている場合は、ステップＳ１０３へ進む。
【０１５０】
ステップＳ１０３では、制御部３０が、共通処理禁止処理を行った後、ステップＳ１１０へ進む。共通処理禁止処理とは、共通処理を禁止する際に行う処理であり、予め定めておけばよく特に限定されない。例えば、制御部３０が、共通処理を禁止する旨の表示等をディスプレイ３４に行うことが挙げられる。
【０１５１】
上記したように本実施の形態では、ステップＳ１０１及びステップＳ１０３の各処理を設けたことにより、個別処理のいずれかを行うまでは、共通処理を繰り返し行うことができるが、個別処理の少なくともいずれかが行われた場合は、共通処理操作を禁止することができる。
【０１５２】
以上説明したように、本発明の基本形態では、コンソール２０の制御部３０は、まず、原画像に対して共通処理操作を行う。そして、制御部３０は、共通処理済原画像を目的Ａ用画像として、個別処理（目的Ａ）を行うことにより目的Ａ画像を生成する。また、制御部３０は、共通処理済原画像を目的Ｂ用画像として、個別処理（目的Ｂ）を行うことにより目的Ｂ画像を生成する。
【０１５３】
また、以上説明したように、上記各実施の形態のコンソール２０の制御部３０では、まず、共通処理操作を行うため、放射線画像撮影装置１２から取得した放射線画像の原画像を取得する。制御部３０は、原画像に対してユーザが行った共通処理操作を検出し、共通処理操作の処理内容と原画像とを対応付けて記憶させる。次に、目的Ａ画像を生成するための個別処理（目的Ａ）に移行すると、制御部３０は、取得した原画像に対して、画像解析処理Ａを施すと共に、共通処理を反映させ、目的Ａ用画像を生成する。さらに制御部３０は目的Ａ用画像に対してユーザが行った個別処理操作を検出し、個別処理操作に応じた画像処理を施すことにより、目的Ａ画像を生成する。また同様に、目的Ｂ画像を生成するための個別処理（目的Ｂ）に移行すると、制御部３０は、取得した原画像に対して、画像解析処理Ｂを施すと共に、共通処理を反映させ、目的Ｂ用画像を生成する。さらに制御部３０は目的Ｂ用画像に対してユーザが行った個別処理操作を検出し、個別処理操作に応じた画像処理を施すことにより、目的Ｂ画像を生成する。
【０１５４】
また、コンソール２０の制御部３０では、共通処理により原画像に対して共通処理操作を行ったり、各個別処理において他方の目的用の画像の個別処理に個別処理操作を引き継いだりすることにより、一度、共通処理を行った後でも、共通処理を行うことができる。
【０１５５】
また、コンソール２０の制御部３０は、個別処理の少なくともいずれかが行われた場合は、共通処理操作を禁止することができる。
【０１５６】
上記各実施の形態のコンソール２０の制御部３０では、１つの原画像から目的が異なる複数の画像を生成するため、被検体１８の被曝量の低減、拘束時間の低減を図ることができる。また、放射線照射装置１６の放射線照射源となる管球の劣化の抑制や放射線技師の撮影作業の低減を図ることができる。
【０１５７】
また、上記各実施の形態のコンソール２０の制御部３０では、原画像に対してユーザが行った共通処理操作を目的が異なる複数の画像の各々に対して反映させることができるため、１画像ずつ処理操作（個別処理操作）を行う手間を削減することができ、ユーザの処理操作の負荷を軽減することができる。同じ処理操作を共通処理操作として反映させるため、両方の目的の画像に対して同様に施したい処理操作については、微調整を要しなくなるため、処理操作の負荷が軽減される。
【０１５８】
また、本実施の形態のコンソール２０では、原画像に対して行う共通処理操作をユーザが設定できる。従って、目的が異なる複数の画像の各々に対して処理操作（個別処理操作）を行う場合に、ユーザが望まない処理操作を反映してしまうことを抑制し、処理操作のやり直しの発生が抑制される。
【０１５９】
なお、上記各実施の形態では、共通処理の実施後に、個別処理（目的Ａ）及び個別処理（目的Ｂ）を実施しているが、各個別処理後に共通処理を行うことが禁止されていない場合は、共通処理より先に個別処理を行ってもよい。
【０１６０】
また、一方の目的の画像の個別処理操作を実施中に、ユーザの指示等に応じて他方の目的の画像に切り換えて、切り換えた他方の画像に対して個別処理操作を行うようにしてもよく、両方の画像の表示及び個別処理操作を相互に切り換えて行えるようにしてもよい。なお、両方の画像を相互に切り換えて表示及び処理操作を行う場合は、両方の画像に対応付けて各画像に対する処理操作の内容（画像解析処理を含む）を記憶させておいてもよい。また、この場合は、原画像と各画像に対する処理操作の内容（画像解析処理を含む）とを対応付けて記憶させておいてもよい。
【０１６１】
また、上記各実施の形態では、共通処理操作や個別処理（目的Ａ）及び個別処理（目的Ｂ）の処理操作の種類が設定可能であることを説明したが、処理操作の種類が設定されている場合は、設定されていない種類の処理操作については、禁止するようにしてもよい。
【０１６２】
なお、上記各実施の形態では、コンソール２０の制御部３０が画像処理を行う場合について説明したが、その他の装置で全部の画像処理、または一部の画像処理を行うようにしてもよい。例えば、ＰＡＣＳ２２の放射線画像処理装置５０の制御部６０により、画像処理を行うようにしてもよい。
【０１６３】
また、上記各実施の形態では、目的Ａ画像の画像情報と目的Ａ画像の生成のために施した処理操作の内容（画像解析処理を含む）とを対応付けて記憶させると共に、目的Ｂ画像の画像情報と目的Ｂ画像の生成のために施した処理操作の内容（画像解析処理を含む）とを対応付けて記憶させている。これらに加えて、さらに、原画像と対応付けて記憶させておいてもよい。また、目的Ａ画像の画像情報及び目的Ｂ画像の画像情報は記憶させず、原画像と目的Ａ画像の生成のために施した処理操作の内容（画像解析処理を含む）及び目的Ｂ画像の生成のために施した処理操作の内容（画像解析処理を含む）とを対応付けて記憶させるようにしてもよい。
【０１６４】
また、上記各実施の形態では、予め画像処理プログラムがコンソール２０の制御部３０に記憶されている場合について説明したが、ＣＤ−ＲＯＭ（Compact Disk ReadOnly Memory）やＵＳＢ（Universal Serial Bus）メモリ等の記録媒体や、外部装置等に記憶させてもよい。
【０１６５】
また、上記各実施の形態では、目的が異なる複数の画像として２種類の画像を生成する場合について説明したが、３種類以上の画像を生成してもよい。
【０１６６】
また、本実施の形態では、本発明の放射線は、特に限定されず、Ｘ線やγ線等を適用することができる。
【０１６７】
また、本実施の形態で説明した放射線画像撮影システム１０、コンソール２０、及びＰＡＣＳ２２等の構成、動作等は一例であり、本発明の主旨を逸脱しない範囲内において状況に応じて変更可能であることは言うまでもない。
【符号の説明】
【０１６８】
１０  放射線画像撮影システム
２０  コンソール
２２  ＰＡＣＳ
３０  制御部
３４、５８  ディスプレイ
３８、５６  操作パネル
５０  放射線画像処理装置
５２  放射線画像読影装置
５４、６４  記憶部
【図１】
2015085190.tif 000003
【図２】
2015085190.tif 000004
【図３】
2015085190.tif 000005
【図４】
2015085190.tif 000006
【図５】
2015085190.tif 000007
【図６】
2015085190.tif 000008
【図７Ａ】
2015085190.tif 000009
【図７Ｂ】
2015085190.tif 000010
【図８】
2015085190.tif 000011
【図９】
2015085190.tif 000012
【図１０】
2015085190.tif 000013
【図１１】
2015085190.tif 000014
【図１２】
2015085190.tif 000015
【図１３Ａ】
2015085190.tif 000016
【図１３Ｂ】
2015085190.tif 000017
【図１４】
2015085190.tif 000018
【図１５】
2015085190.tif 000019
【図１６】
2015085190.tif 000020
【図１７】
2015085190.tif 000021
【図１８】
2015085190.tif 000022
【図１９】
2015085190.tif 000023
【図２０】
2015085190.tif 000024
【図２１】
2015085190.tif 000025
【図２２】
2015085190.tif 000026